【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
回転駆動される感光体と、
前記感光体に静電潜像を形成し、前記静電潜像をトナーで現像する画像形成手段と、
中間転写体と、
前記感光体と前記中間転写体のニップ部において前記感光体上に形成される画像を前記中間転写体に転写する一次転写手段と、
前記中間転写体上の前記画像をシートに転写する二次転写手段と、
前記感光体の表面を摺擦することで、前記感光体から前記中間転写体へ転写されずに前記感光体に残留したトナーを除去する除去部材と、
異常箇所を検出するために用いるテストチャートを形成するため、前記画像形成手段と前記一次転写手段と前記二次転写手段とを制御する制御手段と、を有する画像形成装置であって、
前記制御手段は、前記テストチャートの形成が指示された場合、前記画像形成手段にパターン画像を前記感光体上に形成させ、前記感光体上の前記パターン画像が前記ニップ部を通過するように前記一次転写手段を第１転写条件に基づき制御し、前記ニップ部を通過した前記感光体上の前記パターン画像が、前記除去部材が前記感光体を摺擦する摺擦部へ搬送されるよう前記感光体を回転駆動し、前記画像形成手段に前記パターン画像が前記摺擦部を通過した後の前記感光体上に前記テストチャートを形成させ、前記感光体上の前記テストチャートが前記中間転写体に転写されるように前記一次転写手段を前記第１転写条件と異なる第２転写条件に基づき制御し、前記二次転写手段に前記中間転写体上の前記テストチャートをシートに転写させることを特徴とする画像形成装置。
【請求項２】
前記制御手段は、前記感光体上の前記画像を前記中間転写体に転写するために前記一次転写手段の転写条件として第１極性の転写電圧を用い、
前記第１転写条件は、前記第１極性と逆の第２極性の転写電圧であり、
前記第２転写条件は、前記第１極性の転写電圧であることを特徴とする請求項１に記載の画像形成装置。
【請求項３】
前記制御手段は、前記パターン画像が前記ニップ部を最初に通過してから前記感光体が１周するのに要する時間が経過したときに前記ニップ部を通過する前記感光体上の領域が前記感光体上の前記テストチャートと共に前記中間転写体へ転写されるように前記一次転写手段を制御することを特徴とする請求項１に記載の画像形成装置。
【請求項４】
回転駆動される感光体と、
前記感光体上に静電潜像を形成し、前記静電潜像をトナーで現像する画像形成手段と、
回転駆動される中間転写体と、
前記感光体上に形成される画像を前記中間転写体に転写する一次転写手段と、
前記中間転写体を押圧してニップ部を形成する対向部材を有し、前記ニップ部を通過するシートに前記中間転写体上の前記画像を転写する二次転写手段と、
前記中間転写体の表面を摺擦することで、前記中間転写体から前記シートへ転写されずに前記中間転写体に残留したトナーを除去する除去部材と、
異常箇所を検出するために用いるテストチャートを形成するため、前記画像形成手段と前記一次転写手段と前記二次転写手段とを制御する制御手段と、を有する画像形成装置であって、
前記制御手段は、前記テストチャートの形成が指示された場合、前記画像形成手段にパターン画像を前記感光体上に形成させ、前記一次転写手段に前記感光体上の前記パターン画像を前記中間転写体に転写させ、前記中間転写体上の前記パターン画像が前記ニップ部を通過するように前記二次転写手段を第１転写条件に基づき制御し、前記ニップ部を通過した前記中間転写体上の前記パターン画像が、前記除去部材が前記中間転写体を摺擦する摺擦部へ搬送されるよう前記中間転写体を回転駆動し、前記画像形成手段に前記テストチャートを形成させ、前記一次転写手段に前記パターン画像が前記摺擦部を通過した後の前記中間転写体に前記テストチャートを転写させ、前記テストチャートがシートに転写されるように前記二次転写手段を前記第１転写条件と異なる第２転写条件に基づき制御することを特徴とする画像形成装置。
【請求項５】
前記制御手段は、前記中間転写体上の前記画像をシートに転写するために前記二次転写手段の転写条件として第１極性の転写電圧を用い、
前記第１転写条件は、前記第１極性と逆の第２極性の転写電圧であり、
前記第２転写条件は、前記第１極性の転写電圧であることを特徴とする請求項４に記載の画像形成装置。
【請求項６】
前記制御手段は、前記パターン画像が前記ニップ部を最初に通過してから前記中間転写体が１周するのに要する時間が経過したときに前記ニップ部を通過する前記中間転写体上の領域が前記中間転写体上の前記テストチャートと共にシートへ転写されるように前記二次転写手段を制御することを特徴とする請求項４に記載の画像形成装置。
【手続補正２】
【補正対象書類名】明細書
【補正対象項目名】０００７
【補正方法】変更
【補正の内容】
【０００７】
上記課題を解決するため、請求項１に記載の画像形成装置は、  回転駆動される感光体と、前記感光体に静電潜像を形成し、前記静電潜像をトナーで現像する画像形成手段と、中間転写体と、前記感光体と前記中間転写体のニップ部において前記感光体上に形成される画像を前記中間転写体に転写する一次転写手段と、前記中間転写体上の前記画像をシートに転写する二次転写手段と、前記感光体の表面を摺擦することで、前記感光体から前記中間転写体へ転写されずに前記感光体に残留したトナーを除去する除去部材と、異常箇所を検出するために用いるテストチャートを形成するため、前記画像形成手段と前記一次転写手段と前記二次転写手段とを制御する制御手段と、を有する画像形成装置であって、前記制御手段は、前記テストチャートの形成が指示された場合、前記画像形成手段にパターン画像を前記感光体上に形成させ、前記感光体上の前記パターン画像が前記ニップ部を通過するように前記一次転写手段を第１転写条件に基づき制御し、前記ニップ部を通過した前記感光体上の前記パターン画像が、前記除去部材が前記感光体を摺擦する摺擦部へ搬送されるよう前記感光体を回転駆動し、前記画像形成手段に前記パターン画像が前記摺擦部を通過した後の前記感光体上に前記テストチャートを形成させ、前記感光体上の前記テストチャートが前記中間転写体に転写されるように前記一次転写手段を前記第１転写条件と異なる第２転写条件に基づき制御し、前記二次転写手段に前記中間転写体上の前記テストチャートをシートに転写させることを特徴とする。
【手続補正３】
【補正対象書類名】明細書
【補正対象項目名】０００８
【補正方法】変更
【補正の内容】
【０００８】
また、上記課題を解決するため、他の請求項に記載の画像形成装置は、回転駆動される感光体と、前記感光体上に静電潜像を形成し、前記静電潜像をトナーで現像する画像形成手段と、回転駆動される中間転写体と、前記感光体上に形成される画像を前記中間転写体に転写する一次転写手段と、前記中間転写体を押圧してニップ部を形成する対向部材を有し、前記ニップ部を通過するシートに前記中間転写体上の前記画像を転写する二次転写手段と、前記中間転写体の表面を摺擦することで、前記中間転写体から前記シートへ転写されずに前記中間転写体に残留したトナーを除去する除去部材と、異常箇所を検出するために用いるテストチャートを形成するため、前記画像形成手段と前記一次転写手段と前記二次転写手段とを制御する制御手段と、を有する画像形成装置であって、前記制御手段は、前記テストチャートの形成が指示された場合、前記画像形成手段にパターン画像を前記感光体上に形成させ、前記一次転写手段に前記感光体上の前記パターン画像を前記中間転写体に転写させ、前記中間転写体上の前記パターン画像が前記ニップ部を通過するように前記二次転写手段を第１転写条件に基づき制御し、前記ニップ部を通過した前記中間転写体上の前記パターン画像が、前記除去部材が前記中間転写体を摺擦する摺擦部へ搬送されるよう前記中間転写体を回転駆動し、前記画像形成手段に前記テストチャートを形成させ、前記一次転写手段に前記パターン画像が前記摺擦部を通過した後の前記中間転写体に前記テストチャートを転写させ、前記テストチャートがシートに転写されるように前記二次転写手段を前記第１転写条件と異なる第２転写条件に基づき制御することを特徴とする。
【手続補正４】
【補正対象書類名】明細書
【補正対象項目名】００２４
【補正方法】変更
【補正の内容】
【００２４】
白地部ＷＴは、ベルトクリーナ３５の交換の必要性を判断するためのスジが発生しうる領域である。ベルトクリーナ３５を交換すべきときに白地部ＷＴにスジが顕在化するよう、ＣＰＵ６０は、プリンタ３によってトナーパッチＰＴを形成する。ＣＰＵ６０は、ベルトクリーナ３５をすり抜けたトナーパッチＰＴが二次転写ニップ部Ｎ２を通過するタイミングと、テストチャート７０１が二次転写ニップ部Ｎ２を通過するタイミングとが重なるように、レジストローラ対２６によってテストチャート７０１の搬送を制御する。例えば、ＣＰＵ６０は、前述の各タイミングが重なるように、レジストローラ対２６がテストチャート７０１を二次転写ニップ部Ｎ２へ搬送し始めるタイミングを制御する。また、例えば、ＣＰＵ６０は、前述の各タイミングが重なるように、レジストローラ対２６によるテストチャート７０１の搬送速度を制御する。トナーパッチＰＴの形成位置は、例えば、二次転写ニップ部Ｎ２においてテストチャート７０１の白地部ＷＴが中間転写ベルト３１に接触する位置よりも中間転写ベルト３１の一周長Ｌｂだけ離れている。中間転写ベルト３１は図１に示す矢印方向へ回転することでトナー画像を搬送する。そこで、中間転写ベルト３１のｎ´回目の周回でトナーパッチＰＴが中間転写ベルト３１に形成され、ｎ´＋一回目の周回で白地部ＷＴに対応する中間転写ベルト３１上の領域にはトナー画像が形成されない。つまり、中間転写ベルト３１上においてトナーパッチＰＴの位置と白地部ＷＴの位置とは一致している。なお、１枚のテストチャート７０１を用いてドラムクリーナ１５とベルトクリーナ３５の異常を判定する場合、トナーパターンＰＴの形成位置とトナーパターンＰＤとの形成位置との関係は図３に示すような関係となる。図３において、Ｘ方向はシート搬送方向に直交する方向を示し、Ｙ方向はシート搬送方向を示す。
【手続補正５】
【補正対象書類名】明細書
【補正対象項目名】００３７
【補正方法】変更
【補正の内容】
【００３７】
図５（Ｅ）は第二のアナログパターンＡ２を形成する際に帯電器１２によって帯電した感光ドラム１１上におけるＸ方向の位置における電位を示している。図５（Ｆ）はシートＰに形成されるアナログパターンＡ２の濃度ｄＡ２を示している。アナログパターンＡ２を形成すべく、チャート生成部６４からの指示に従って帯電制御部６５は帯電電源６８を制御する。これにより、感光ドラム１１の表面の電位が帯電電位Ｖｄ_Ａ２（例：ほぼ０［Ｖ］）に調整される。チャート生成部６４からの指示に従って現像制御部６６は現像電源６９を制御する。これにより、現像器１４の現像スリーブの電位が現像バイアスＶｄｃ_Ａ２に調整される。現像バイアスＶｄｃ_Ａ２は帯電電位Ｖｄ_Ａ２よりも高い電位である。なお、チャート生成部６４は露光器１３にレーザ光の照射を行わせない。これにより、感光ドラム１１と現像スリーブとの間には現像電圧Ｖｃ_Ａ２が形成される。つまり、アナログパターンＡ２に対応した静電潜像が形成され、現像器１４から供給されたトナーにより感光ドラム１１上にトナー画像が形成される。図５（Ｅ）が示すように、アナログパターンＡ２では、露光が適用されないため、Ｘ方向の位置によらず一定の現像電圧Ｖｃ_Ａ２が形成される。よって、アナログパターンＡ２の両端には余白が形成されない。また、露光が適用されないため中間調処理を行うことはできない。そこで、本実施例では、アナログパターンＡ２の各色の光学濃度が０．６になるように、現像制御部６６が現像電源６９を制御して現像電圧Ｖｃ_Ａ２を調整する。図５（Ｆ）が示すように、シートＰには光学濃度ｄＡ２（＝０．６）のアナログパターンＡ２が形成される。
【手続補正６】
【補正対象書類名】明細書
【補正対象項目名】００５６
【補正方法】変更
【補正の内容】
【００５６】
図１０（Ｂ）が示すように、ホコリや髪の毛などの異物１４８が現像スリーブ１４２と規制ブレード１４６との間に詰まることがある。この場合、異物１４８が現像剤の流れを妨げてしまう。図１０（Ｃ）が示すように、現像スリーブ１４２上に現像剤が担持されない非コート領域１５１が発生する。非コート領域１５１には現像剤が存在しない。そのため、感光ドラム１１の表面のうち非コート領域１５１に対向する部分には現像剤が供給されない。よって感光ドラム１１の表面には一直線の連続する縦スジ１５２が発生する。図９が示すように、このような現像コート不良スジを解消するために交換すべきユニットは現像器１４である。